(57)【要約】【課題】コネクタ３にオプション機器２を接続されていないときのコネクタ３の電気絶縁性を確保する。【解決手段】コネクタ３に接続されたオプション機器２を制御するための制御部５と、コネクタ３を通電状態あるいは非通電状態にする切替部１１が設けられる。制御部５は、コネクタ３にオプション機器２が接続されているか否かを監視する。コネクタ３にオプション機器２が接続されていないとき、制御部５は、コネクタ３が非通電状態になるように切替部１１を制御する。切替部１１は、コネクタ３につながる複数の導電ライン６，７を遮断する。【選択図】図１
2015161468.tif 000002
【特許請求の範囲】
【請求項１】
オプション機器が着脱可能に接続される空気調和機であって、オプション機器を接続するためのコネクタと、接続されたオプション機器を制御するための制御部とを備え、制御部は、コネクタにオプション機器が接続されているか否かを監視し、コネクタにオプション機器が接続されていないとき、コネクタへの通電を遮断して、コネクタを非通電状態にすることを特徴とする空気調和機。
【請求項２】
コネクタを通電状態あるいは非通電状態にする切替部が設けられ、制御部は、オプション機器が接続されていないとき、コネクタが非通電状態になるように切替部を制御することを特徴とする請求項１記載の空気調和機。
【請求項３】
切替部は、コネクタにつながる複数の導電ラインを遮断あるいは接続することにより非通電状態と通電状態とを切り替えることを特徴とする請求項２記載の空気調和機。
【請求項４】
制御部は、オプション機器の接続の有無に応じて変化するコネクタの電位を検出し、検出された電位に基づいてオプション機器の接続の有無を判断することを特徴とする請求項１〜３のいずれかに記載の空気調和機。
【請求項５】
制御部とコネクタとをつなぐ導電ラインにプルダウン抵抗が接続され、制御部は、導電ラインの電位を監視して、電位がローレベルのとき、オプション機器が接続されていないと判断し、電位がハイレベルのとき、オプション機器が接続されていると判断することを特徴とする請求項４記載の空気調和機。
【請求項６】
制御部とオプション機器とは通信可能とされ、制御部は、オプション機器との通信状況に基づいて、オプション機器の接続の有無を判断することを特徴とする請求項１〜３のいずれかに記載の空気調和機。
【請求項７】
制御部は、オプション機器との通信を所定時間行っていないとき、オプション機器が接続されていないと判断することを特徴とする請求項６記載の空気調和機。
【請求項８】
制御部は、初期状態として、コネクタを通電状態にしておくことを特徴とする請求項１〜７のいずれかに記載の空気調和機。
【請求項９】
制御部は、通常、コネクタを非通電状態にしておき、オプション機器がコネクタに接続されたときに入力される設定信号に応じてコネクタを通電状態にすることを特徴とする請求項１〜３のいずれかに記載の空気調和機。
【請求項１０】
初期設定として、オプション機器無しが設定されることを特徴とする請求項９記載の空気調和機。
【請求項１１】
制御部は、オプション機器が接続されていないことを報知することを特徴とする請求項１〜１０のいずれかに記載の空気調和機。
【請求項１２】
制御部は、コネクタを非通電状態にしたとき、空気調和機を操作するための操作端末にオプション機器無しに設定するように指示することを特徴とする請求項１〜１１のいずれかに記載の空気調和機。
【発明の詳細な説明】
【技術分野】
【０００１】
本発明は、オプション機器を接続可能な空気調和機に関する。
【背景技術】
【０００２】
空気調和機に、オプション機器としてドレンポンプ装置が接続されることが特許文献１に記載されている。空気調和機の制御部は、オプション機器と通信可能とされ、オプション機器が接続されていないとき、空調運転が停止される。
【０００３】
ここで、空気調和機の電気回路において、通常、一次側と二次側とは基礎絶縁がされている。オプション機器を接続するためのコネクタは、電気絶縁を確保しなければならず、オプション機器の着脱を考慮して、コネクタとしてコネクタが用いられる。
【先行技術文献】
【特許文献】
【０００４】
【特許文献１】特開２０１２−９８０２９号公報
【発明の概要】
【発明が解決しようとする課題】
【０００５】
ところで、コネクタには、電圧が印加されているので、付加絶縁相当の空間距離（沿面距離）が要求される。この距離を確保するには、大きなコネクタを使用しなければならない。そのようなコネクタの選択肢は少なく、コストもかかる。しかも、オプション機器にも大きなコネクタを実装しなければならず、その分のスペースが必要となり、オプション機器２の小型化を阻害する。
【０００６】
本発明は、上記に鑑み、コネクタの電気絶縁性を確保しながら、小型のコネクタを使用可能な空気調和機の提供を目的とする。
【課題を解決するための手段】
【０００７】
本発明のオプション機器が着脱可能に接続される空気調和機は、オプション機器を接続するためのコネクタと、接続されたオプション機器を制御するための制御部とを備え、制御部は、コネクタにオプション機器が接続されているか否かを監視し、コネクタにオプション機器が接続されていないとき、コネクタへの通電を遮断して、コネクタを非通電状態にする。コネクタにオプション機器が接続されているとき、制御部は、コネクタを通電状態にする。これにより、コネクタの電気絶縁性を確保できる。
【０００８】
コネクタを通電状態あるいは非通電状態にする切替部が設けられ、制御部は、オプション機器が接続されていないとき、コネクタが非通電状態になるように切替部を制御するようにしてもよい。また、切替部は、通電状態から非通電状態に切り替えるようにしてもよい。このような構成にすれば、切替部は、コネクタにつながる複数の導電ラインを遮断あるいは接続することにより非通電状態と通電状態とを切り替える。導電ラインが遮断されると、コネクタには電圧が印加されない。
【０００９】
制御部は、オプション機器の接続の有無に応じて変化するコネクタの電位を検出し、検出された電位に基づいてオプション機器の接続の有無を判断するようにしてもよい。オプション機器が接続されていると、コネクタは導通して、電位が生じる。一方、オプション機器が接続されていないとき、コネクタは導通せず、電位が生じない。このように、オプション機器の接続に応じてコネクタの電位が変化するので、コネクタの接続の有無を検出できる。このような場合、制御部とコネクタとをつなぐ導電ラインにプルダウン抵抗が接続され、制御部は、導電ラインの電位を監視して、電位がローレベルのとき、オプション機器が接続されていないと判断し、電位がハイレベルのとき、オプション機器が接続されていると判断するようにしてもよい。
【００１０】
制御部とオプション機器とは通信可能とされ、制御部は、オプション機器との通信状況に基づいて、オプション機器の接続の有無を判断するようにしてもよい。制御部とオプション機器とが通信を行っているとき、オプション機器はコネクタに接続されている。オプション機器がコネクタに接続されていないとき、オプション機器との通信がない。このような場合、制御部は、オプション機器との通信を所定時間行っていないとき、オプション機器が接続されていないと判断するようにしてもよい。
【００１１】
制御部は、初期状態として、コネクタを通電状態にしておくようにしてもよい。これにより、空気調和機の電源がオンされたときや制御部がリセットされたときに、コネクタの電位を検出したり、オプション機器との通信が可能となり、オプション機器の接続の有無を監視することができる。そこで、制御部は、電源のオンやリセットなどに起動したとき、オプション機器がコネクタに接続されているかを確認する。オプション機器が接続されているとき、コネクタの通電状態は維持される。オプション機器が接続されていないとき、コネクタは非通電状態にされる。
【００１２】
制御部は、通常、コネクタを非通電状態にしておき、オプション機器がコネクタに接続されたときに入力される設定信号に応じてコネクタを通電状態にするようにしてもよい。このような構成によれば、オプション機器が接続されていないとき、コネクタは非通電状態となっている。オプション機器が接続されると、設定信号が入力されるので、制御部は、設定信号の入力を監視する。設定信号が入力されると、コネクタが通電状態に切り替えられる。設定信号の入力がないとき、コネクタは非通電状態のままである。
【００１３】
初期設定として、オプション機器無しが設定されるようにしてもよい。オプション機器無しの設定により、コネクタは非通電状態とされる。したがって、空気調和機の電源がオンされたときや制御部がリセットされたとき、コネクタは非通電状態とされる。
【００１４】
制御部は、オプション機器が接続されていないことを報知するようにしてもよい。これにより、ユーザは、オプション機器が接続されていないことを認識でき、オプション機器に対する操作を行うことを防げる。
【００１５】
制御部は、コネクタを非通電状態にしたとき、空気調和機を操作するための操作端末にオプション機器無しに設定するように指示するようにしてもよい。操作端末において、オプション機器無しが設定される。したがって、ユーザが操作端末でオプション機器に対する操作を行っても、操作が無効とされる。
【発明の効果】
【００１６】
本発明によると、オプション機器がコネクタに接続されていないとき、コネクタが非通電状態になるので、コネクタの電気絶縁性を確保することができる。
【図面の簡単な説明】
【００１７】
【図１】本発明の第１の実施形態のエアコン本体とオプション機器との接続を示す図
【図２】第２の実施形態のエアコン本体とオプション機器との接続を示す図
【図３】第３の実施形態のエアコン本体とオプション機器との接続を示す図
【発明を実施するための形態】
【００１８】
（第１の実施形態）
本実施形態の空気調和機は、図１に示すように、エアコン本体１にオプション機器２が接続されたものであり、空気調和機の空調運転に応じてオプション機器２が運転される。オプション機器２は、エアコン本体１にコネクタ３，４を介して着脱可能に接続される。エアコン本体１に本体側のコネクタ３が設けられ、オプション機器２にオプション機器側のコネクタ４が設けられる。
【００１９】
ユーザやサービスマンがエアコン本体１のコネクタ３にオプション機器２のコネクタ４を着脱しやすいように、エアコン本体１のコネクタ３は、その端子部が外部に露出するように配置される。両コネクタ３，４が直接あるいはケーブルを介して接続されることにより、オプション機器２は空気調和機に電気的に接続される。オプション機器２のコネクタ４がエアコン本体１のコネクタ３から外されることにより、オプション機器２はエアコン本体１から分離される。なお、コネクタ３は、エアコン本体１の内部にあってもよい。
【００２０】
ここで、空気調和機が室内機と室外機とを有するセパレート型である場合、エアコン本体１は、室内機あるいは室外機とされる。一体型の空気調和機の場合、空気調和機自体がエアコン本体１である。オプション機器２は、エアコン本体１の外部に設けられる電気機器、あるいはエアコン本体１の内部に設けられる電気機器とされる。このような電気機器として、例えばイオン発生装置、空気清浄機、加熱機、加湿器、室内空気撹拌用ファン、通信アダプタなどがあげられる。
【００２１】
空気調和機は、圧縮機、四方弁、室外熱交換器、膨張弁、室内熱交換器、室外ファン、室内ファンを備える。そして、空気調和機は、これらを制御して、冷房、暖房などの空調運転を行う制御部５を備えている。
【００２２】
ＣＰＵ、ＲＯＭ、ＲＡＭから構成される制御部５は、コネクタ３を介してオプション機器２と電気的に接続される。エアコン本体１のコネクタ３は、複数の接続端子を有している。各接続端子にそれぞれ導電ライン６が接続され、制御部５は、複数の導電ライン６、例えば制御ラインや通信ラインを通じて接続端子に接続される。また、他の接続端子は導電ライン６を通じて電源装置、アースなどに接続される。そして、制御部５は、コネクタ３を通じてオプション機器２の制御部に制御信号を出力して、オプション機器２を制御する。すなわち、空気調和機が空調運転を行うと、制御部５は、これに連動するようにオプション機器２を動作させる。なお、空調運転が行われていないときでも、制御部５は、オプション機器２を単独で動作させるようにしてもよい。
【００２３】
ところで、エアコン本体１のコネクタ３にオプション機器２が接続されているとき、コネクタ３は通電され、コネクタ３に電圧がかかっている。オプション機器がエアコン本体１に接続されていないとき、コネクタ３の電気絶縁性を確保しなければならない。そのためには、コネクタ３に電圧が印加されないようにする。そこで、制御部５は、コネクタ３にオプション機器２が接続されているか否かを監視し、オプション機器２が接続されているときコネクタ３に通電して通電状態とし、オプション機器２が接続されていないとき、コネクタ３への通電を遮断して非通電状態にする。
【００２４】
オプション機器２がコネクタ３に接続されていないことを検出するために、制御部５は、オプション機器２の接続の有無に応じて変化するコネクタ３の電位を検出し、検出された電位に基づいてオプション機器２の接続の有無を判断する。オプション機器２が接続されているとき、オプション機器２に導通しているエアコン本体１側のコネクタ３の導電ライン６には、電流が流れ、所定の電位が生じる。オプション機器２がエアコン本体１から外されると、この導電ライン６に電流が流れなくなり、コネクタ３の電位が０になる。制御部５は、この電位の変化を検出すると、オプション機器２が接続されていないと判断する。
【００２５】
具体的には、図１に示すように、制御部５とコネクタ３とをつなぐ導電ライン７にプルダウン抵抗１０が接続される。この導電ライン７につながるオプション機器２側のコネクタ３の接続端子が所定電圧、例えば５Ｖの電源に接続される。オプション機器２が接続されているとき、導電ライン７の電位は５Ｖとなる。制御部５にはハイ信号が入力される。オプション機器２が接続されていないとき、導電ライン７の電位はグラウンドレベルとなる。制御部５にはロー信号が入力される。制御部５は、導電ライン７の電位を監視して、電位がローレベルのとき、オプション機器２が接続されていないと判断し、電位がハイレベルのとき、オプション機器２が接続されていると判断する。
【００２６】
そして、空気調和機に、コネクタ３を通電状態あるいは非通電状態にする切替部１１が設けられる。切替部１１は、コネクタ３につながる複数の導電ライン６，７を遮断あるいは接続する。導電ライン６，７が遮断されると、コネクタ３は非通電状態となる。導電ライン６，７が接続されると、コネクタ３は通電状態となる。制御部５は、オプション機器２の接続の有無に応じて切替部１１をオンオフする。切替部１１のオンオフにより、コネクタ３の非通電状態と通電状態とが切り替えられる。
【００２７】
切替部１１として、リレー１２が用いられる。導電ライン６，７に、リレー１２のスイッチ１２ａが設けられ、スイッチ１２ａを開閉するコイル１２ｂが制御部５に接続される。複数の導電ライン６，７に対して、リレー１２がそれぞれ設けられる。リレー１２は、ノーマルクローズのリレーとされ、コイル１２ｂに通電されていない状態では、スイッチ１２ａは閉とされる。制御部５が切替部１１をオフすると、コイル１２ｂに通電されて、スイッチ１２ａが開になり、導電ライン６，７が遮断される。制御部５が切替部１１をオンすると、コイル１２ｂに通電されなくなる。スイッチ１２ａが閉になると、導電ライン６，７が接続される。制御部５は、初期設定として、リレー１２を閉状態にして、コネクタ３を通電状態にしている。
【００２８】
オプション機器２がエアコン本体１に接続されているとき、コネクタ３は通電状態である。制御部５は、コネクタ３を通じてオプション機器２と通信を行って、オプション機器２を制御する。オプション機器２がエアコン本体１から外されると、導電ライン７の電位がハイレベルからローレベルに変化する。制御部５は、この電位の変化を検出すると、切替部１１をオフする。全てのリレー１２が作動して、スイッチ１２ａが開となり、各導電ライン６，７が遮断される。コネクタ３は通電状態から非通電状態になる。
【００２９】
コネクタ３に電圧が印加されないので、コネクタ３の接続端子に物が触れても、接続端子間がショートすることはない。これにより、コネクタ３の電気絶縁性を確保でき、空間距離の大きなコネクタ３を使用しなくてよく、コネクタ３の選択肢が増え、コストダウンを図れる。しかも、小型のコネクタ３を使用できるので、オプション機器２のコネクタ４の実装スペースを小さくでき、オプション機器２の小型化を図れる。
【００３０】
（第２の実施形態）
第２の実施形態の空気調和機は、エアコン本体１の制御部５とオプション機器２との通信状況に基づいて、オプション機器２の接続の有無を判断する。すなわち、制御部５は、通信が行われていれば、オプション機器２が接続されていると判断し、通信が途絶えていれば、オプション機器２は接続されていないと判断する。その他の構成は、第１の実施形態と同じである。
【００３１】
図２に示すように、通信のための導電ラインである通信ライン８は制御部５とコネクタ３をつないでいる。さらに、通信ライン８は、コネクタ３，４を通じてオプション機器２にもつながっている。通信ライン８に、ノーマルクローズのリレー１２のスイッチ１２ａが設けられている。オプション機器２が接続されているとき、通信ライン８は接続され、制御部５はオプション機器２と通信可能である。
【００３２】
制御部５は、オプション機器２との通信状況を監視している。通信が所定時間行われていないことが検出されると、制御部５は、オプション機器２のエラーと判断し、表示、音声などによってエラーを報知する。そして、制御部５は、切替部１１をオフして、全ての導電ライン６，８を遮断する。コネクタ３は非通電状態になる。
【００３３】
通信が所定時間途絶えるといった現象は、オプション機器２が接続されていないときに起こるだけでなく、オプション機器２が接続されていても、オプション機器２に異常が発生したときにも起こる。コネクタ３が非通電状態になることにより、制御部５はオプション機器２に制御信号を出力できなくなる。これにより、オプション機器２は不合理な動作を強いられず、オプション機器２の誤動作を防止できる。
【００３４】
なお、制御部５は、定期的にオプション機器２に通信を行って、オプション機器２からの返信の有無によりオプション機器２の接続の有無を確認してもよい。オプション機器２からの返信がないとき、制御部５は、コネクタ３を非通電状態にする。なお、コネクタ３が非通電状態にあるときに通信を行う場合、制御部５は、切替部１１をオンして、コネクタ３を通電状態にしてからオプション機器２と通信を行う。
【００３５】
（第３の実施形態）
第３の実施形態の空気調和機は、エアコン本体１の制御部５とオプション機器２との通信状況に基づいて、オプション機器２の接続の有無を判断する。オプション機器２が接続されていないとき、オプション機器２が接続されていないといった情報が空気調和機を操作するための操作端末にフィードバックされる。その他の構成は、第２の実施形態と同じである。
【００３６】
図３に示すように、空気調和機を操作するための操作端末としてのリモコン１５は、エアコン本体１の制御部５と赤外線通信などの双方向の無線通信を行う。制御部５は、オプション機器２との通信が所定時間行われていないことを検出すると、オプション機器２のエラーと判断する。制御部５は、切替部１１をオフして、コネクタ３を非通電状態にするとともに、リモコン１５にフィードバックする。
【００３７】
リモコン１５では、オプション機器２の有無を設定できる。ユーザによりオプション機器有りが設定されると、リモコン１５からエアコン本体１を通じてオプション機器２の動作を制御することができる。オプション機器無しが設定されると、オプション機器２に対する操作が無効にされる。
【００３８】
そこで、エアコン本体１にオプション機器２が接続されていないとき、制御部５は、リモコン１５にオプション機器無しに設定するように指示する。リモコン１５は、制御部５からの指示により、オプション機器無しを設定する。ユーザが、オプション機器２を動作させようとリモコン１５を操作すると、この操作は無効とされる。このとき、リモコン１５の表示部１６に、オプション機器無しであることが表示される。これにより、ユーザの誤った操作をなくすことができる。また、ユーザが誤ってオプション機器有りを選んでしまったり、オプション機器２を取り外した際にリモコン１５において、オプション機器無しを設定するのを忘れたとしても、エアコン本体１からの指示により、リモコン１５においてオプション機器無しが設定されるため、使用性がよくなる。
【００３９】
（第４の実施形態）
第４の実施形態の空気調和機は、通常、エアコン本体１のコネクタ３を非通電状態にしておき、オプション機器２が接続されると、コネクタ３を通電状態にする。その他の構成は、第１あるいは第３の実施形態と同じである。
【００４０】
空気調和機の電源がオンされたとき、制御部５は、初期設定として、オプション機器２無しを設定して、切替部１１をオフにしておく。したがって、オプション機器２がエアコン本体１のコネクタ３に接続されていないとき、コネクタ３は非通電状態である。
【００４１】
そして、制御部５は、オプション機器２の接続の有無を監視し、オプション機器２がコネクタ３に接続されたとき、制御部５は、切替部１１をオンして、コネクタ３を通電状態にする。ここで、制御部５は、設定信号の入力により、オプション機器２が接続されたことを検出する。
【００４２】
設定信号は、オプション機器有りを設定するための信号であって、リモコン１５から入力される、あるいはエアコン本体１から入力される。すなわち、オプション機器２がコネクタ３に接続された後、ユーザが、リモコン１５において設定操作を行うと、リモコン１５から設定信号がエアコン本体１に送信される。エアコン本体１の制御部５は、設定信号を受け取ると、オプション機器有りを設定して、切替部１１をオンする。あるいは、ユーザがエアコン本体１に設けられた運転スイッチにおいて特定の操作、例えばスイッチの長押しや連続押しなどを行うと、制御部５は、設定信号が入力されたと判断し、オプション機器有りを設定して、切替部１１をオンする。
【００４３】
空気調和機のコンセントの抜き差しなどにより空気調和機の電源がオンオフされると、制御部５はリセットされる。制御部５は初期設定を行い、オプション機器無しが設定される。このとき、オプション機器２がコネクタ３に接続されていても、非通電状態にされる。オプション機器２を動作させるために、ユーザは、オプション機器有りを設定するための操作を行う。この操作に応じて、制御部５は、切替部１１をオンして、コネクタ３を通電状態にする。
【００４４】
（第５の実施形態）
上記の第１〜第３の実施形態では、エアコン本体１からオプション機器２が取り外されると、コネクタ３が非通電状態にされる。この後、オプション機器２がエアコン本体１に取り付けられると、コネクタ３が非通電状態であるため、制御部５は、オプション機器２が取り付けられたことを検出できない。
【００４５】
ところで、空気調和機の電源がオンされたとき、あるいは制御部５がリセットされたとき、制御部５は初期設定としてコネクタ３を通電状態にする。このとき、制御部５は、オプション機器２がエアコン本体１に取り付けられたことを検出することができる。
【００４６】
すなわち、コネクタ３が非通電状態にあるときにオプション機器２がエアコン本体１に取り付けられる際に、ユーザは空気調和機の電源をオフする。ユーザは、オプション機器２をエアコン本体１に取り付けた後、空気調和機の電源をオンする。制御部５が起動して、オプション機器有りが設定される。切替部１１がオンされ、コネクタ３は通電状態となる。これにより、制御部５はオプション機器２の接続の有無を判断できる。オプション機器２が接続されていることが確認され、コネクタ３の通電状態は維持される。
【００４７】
あるいは、空気調和機の電源がオフされず、コネクタ３が非通電状態のまま、ユーザは、オプション機器２をエアコン本体１に取り付ける。この後、ユーザは、エアコン本体１あるいはリモコン１５を操作して、設定信号を入力する。制御部５は、設定信号の入力に応じて切替部１１をオンし、コネクタ３を通電状態にする。コネクタ３に接続されたオプション機器２は、制御部５と通信を行いながら動作する。
【００４８】
以上の通り、本発明のオプション機器２が着脱可能に接続される空気調和機は、オプション機器２を接続するためのコネクタ３と、接続されたオプション機器２を制御するための制御部５とを備え、制御部５は、コネクタ３にオプション機器２が接続されているか否かを監視し、コネクタ３にオプション機器２が接続されていないとき、コネクタ３への通電を遮断して、コネクタ３を非通電状態にする。これにより、コネクタ３の電気絶縁性を確保でき、小型のコネクタ３を使用することが可能となる。
【００４９】
コネクタ３を通電状態あるいは非通電状態にする切替部１１が設けられ、制御部５は、オプション機器２が接続されていないとき、コネクタ１１が非通電状態になるように切替部１１を制御する。切替部１１を設けることにより、コネクタ３への通電を物理的に遮断することができる。
【００５０】
切替部１１は、コネクタ３につながる複数の導電ライン６，７を遮断あるいは接続することにより非通電状態と通電状態とを切り替える。コネクタ３につながる全ての導電ライン６，７を遮断することにより、非通電状態において完全に電気絶縁を実現できる。
【００５１】
制御部５は、オプション機器２の接続の有無に応じて変化するコネクタ３の電位を検出し、検出された電位に基づいてオプション機器２の接続の有無を判断する。すなわち、制御部５とコネクタ３とをつなぐ導電ライン７にプルダウン抵抗１０が接続され、制御部５は、導電ライン７の電位を監視して、電位がローレベルのとき、オプション機器２が接続されていないと判断し、電位がハイレベルのとき、オプション機器２が接続されていると判断する。これにより、簡単な構成でオプション機器２の接続の有無を検出することができる。
【００５２】
制御部５とオプション機器２とは通信可能とされ、制御部５は、オプション機器２との通信状況に基づいて、オプション機器２の接続の有無を判断する。制御部５は、オプション機器２との通信を所定時間行っていないとき、オプション機器２が接続されていないと判断する。これにより、オプション機器２の検出用の部材を設ける必要がなく、低コストで接続の有無の判断を実現できる。
【００５３】
制御部５は、初期状態として、コネクタ３を通電状態にしておく。これにより、空気調和機の電源をオンしたときや制御部５が起動したときに、オプション機器２の接続の有無を検出することができる。
【００５４】
制御部５は、通常、コネクタ３を非通電状態にしておき、オプション機器２がコネクタ３に接続されたときに入力される設定信号に応じてコネクタ３を通電状態にする。これにより、オプション機器２がコネクタ３に接続されない限り、コネクタ３には通電されないので、確実にコネクタ３の電気絶縁性を確保できる。
【００５５】
初期設定として、オプション機器無しが設定される。空気調和機の電源がオンされたときや制御部５がリセットされたときに、コネクタ３を非通電状態にすることができる。
【００５６】
制御部５は、オプション機器２が接続されていないことを報知する。これにより、オプション機器２が接続されているとユーザが勘違いして、オプション機器２に対する操作を行うことを防げる。
【００５７】
制御部５は、コネクタ３を非通電状態にしたとき、空気調和機を操作するための操作端末にオプション機器無しに設定するように指示する。これにより、操作端末において、オプション機器２に対する操作を無効にすることができ、制御部５の不要な動作を防止でき、省エネルギーを図れる。
【００５８】
また、オプション機器２が着脱可能に接続される空気調和機は、オプション機器２を接続するためのコネクタ３と、コネクタ３を通電状態あるいは非通電状態にする切替部１１とを備え、コネクタ３が移動可能に設けられ、切替部１１は、コネクタ３を移動させることにより、非通電状態と通電状態とを切り替える。
【００５９】
コネクタ３をエアコン本体１に移動可能に設けてもよい。切替部１１は、コネクタ３が通電可能な第１位置にある通電状態とコネクタ３が通電不可能な第２位置にある非通電状態との間でコネクタ３を移動させる。コネクタ３の移動により、コネクタ３の通電状態と非通電状態が切り替わる。切替部１１は、オプション機器２が接続されたときのコネクタ３を第１位置に固定するためにコネクタ３を引っ掛けるフックあるいは吸着する磁石と、コネクタ３を第１位置から第２位置に移動させるためのばねなどの弾性部材あるいはソレノイドを有する。オプション機器２がコネクタ３に接続されているとき、コネクタ３は押されて第１位置にあり、コネクタ３に設けられた接点が導電ライン６の接点に接触して、導電ライン６とコネクタ３とが導通する。このとき、コネクタ３につながる導電ライン６は接続され、コネクタ３は通電状態にある。オプション機器２がコネクタ３から外されると、弾性部材の付勢力などによりコネクタ３が第２位置に移動し、コネクタ３の接点が導電ライン６の接点から離れる。このとき、コネクタ３につながる導電ライン６は遮断され、コネクタ３は非通電状態となる。コネクタ３全体が移動する代わりに、コネクタ３の接続端子を移動可能に設けてもよい。
【００６０】
なお、本発明は、上記実施形態に限定されるものではなく、本発明の範囲内で上記実施形態に多くの修正および変更を加え得ることは勿論である。切替部１１のノーマルクローズのリレー１２の代わりに、ノーマルオープンのリレーを用いてもよい。あるいは、ソリッドステートリレーなどの半導体リレーやフォトカプラを用いてもよい。
【００６１】
操作端末はリモコン１５以外にスマートフォン、携帯電話などの無線通信可能な情報端末であってもよい。情報端末は、エアコン本体１と無線通信を行うだけでなく、オプション機器２とも無線通信を行う。そして、情報端末は、オプション機器２との通信が所定時間ないことを検出すると、オプション機器２が接続されていないと判断し、オプション機器２が接続されていないことを制御部５に通知する。制御部５は、この通知に応じて、コネクタ３を非通電状態にする。
【００６２】
コネクタ３が非通電状態にあるときのオプション機器２の接続の有無の検出について、リミットスイッチや光センサなどの検出器を用いてもよい。検出器がコネクタ３に設けられ、検出器は、オプション機器２がコネクタ３に接続されると、検出信号を出力し、オプション機器２が接続されていないとき、検出信号を出力しない。制御部５は、検出信号が入力されると、オプション機器２が接続されたと認識して、コネクタ３を通電状態にする。
【符号の説明】
【００６３】
１    エアコン本体
２    オプション機器
３    本体側のコネクタ
４    オプション機器側のコネクタ
５    制御部
６，７    導電ライン
８    通信ライン
１０    プルダウン抵抗
１１    切替部
１２    リレー
１５    リモコン
【図１】
2015161468.tif 000003
【図２】
2015161468.tif 000004
【図３】
2015161468.tif 000005